(57)【要約】【課題】多数のカメラを要することなく、異常が発生した場合に早期に異常状態を検知・確認することが可能となる自走式監視装置を提供することを目的とする。【解決手段】障害物の壁面に沿った走行をしているかどうかを判定する壁面判定部９が、障害物に沿った走行していると判断した場合、カメラの角度を制御するカメラ制御部１２が、壁面とは反対方向にカメラ２の角度を自動的に変更するようにしたものである。これによって、機器本体１が障害物の壁面付近を走行している場合において、壁面の画像を撮影せず反対方向の監視領域のみを多数のカメラを要することなく撮影することが可能で、異常が発生した場合に早期に異常状態を検知・確認することが可能となる。【選択図】図１
2006201991.tif 000002
【特許請求の範囲】
【請求項１】
走行手段と、カメラと、障害物との距離を検知する距離検知手段と、前記距離検知手段から取得した信号をもとに障害物の壁面に沿った走行をしているかどうかを判定する壁面判定部と、壁面とは反対方向にカメラを振るためのカメラ角度を算出するカメラ角度算出部と、前記カメラ角度算出部で算出されたカメラ角度に従い前記カメラの角度を制御するカメラ制御部とを備え、前記壁面判定部が、障害物に沿った走行していると判断した場合、カメラ制御部は、壁面とは反対方向にカメラ角度を自動的に変更する自走式監視装置。
【請求項２】
走行手段と、カメラと、障害物との距離を検知する距離検知手段と、障害物に沿った走行を行なうのか、任意のパターンで走行を行なうのかを選択する走行パターン選択手段と、障害物とは反対方向にカメラを振るためのカメラ角度を算出するカメラ角度算出部と、前記カメラ角度算出部で算出されたカメラ角度に従い前記カメラの角度を制御するカメラ制御部とを備え、前記走行パターン選択手段を介して、障害物に沿った走行を行なう選択をした場合、障害物とは反対方向にカメラ角度を自動的に変更する自走式監視装置。
【請求項３】
走行距離を検出する走行距離検出手段と、走行方向を検出する走行方向検出手段と、前記走行距離検出手段と走行方向検出手段で得られた情報を元に現在の走行位置を検出する位置検出部と、カメラ角度を変更する位置情報とカメラ角度情報とを記憶するカメラ角度記憶部とを備え、予め設定されたカメラ角度を変更する地点を走行した場合、前記カメラ角度記憶部に記憶されたカメラ角度情報に従い自動的にカメラ角度を変更する請求項１または２に記載の自走式監視装置。
【請求項４】
制御部は、障害物に沿った走行を行なっている場合に変更するカメラ角度の範囲を記憶する壁面走行用記憶部と、障害物付近を走行していない場合に変更するカメラ角度の範囲を記憶する通常走行用記憶部とを備え、障害物に沿った走行を行なっている場合、前記壁面走行用記憶部に設定されたカメラ角度の範囲内で変更し、障害物付近を走行していない場合、前記通常走行用記憶部に設定されたカメラ角度の範囲内で変更する機能を備えた請求項１〜３のいずれか１項に記載の自走式監視装置。
【請求項５】
壁面走行用記憶部と通常走行用記憶部において、設定されたカメラ角度範囲内で、定期的にカメラ角度を変更する機能を備えた請求項４に記載の自走式監視装置。
【請求項６】
外部通信手段を備え、この外部通信手段を介して遠隔操作が行なわれた場合、現在のカメラ角度が正面になるよう走行方向を変更後、遠隔操作された方向に走行する請求項１〜５のいずれか１項に記載の自走式監視装置。
【請求項７】
外部設定手段と、障害物の壁面に沿った走行をしていると判定する距離情報を記憶する壁面距離記憶部とを備え、外部設定手段を介して壁面距離記憶部に記憶されている障害物に沿った走行をしていると判定する距離情報を任意に設定・変更可能とする機能を備えた請求項１〜６のいずれか１項に記載の自走式監視装置。
【請求項８】
外部設定手段を備え、この外部設定手段を介して、カメラ角度記憶部に格納されたカメラ角度を変更する位置情報とそのカメラ角度情報、壁面走行用記憶部に格納された障害物に沿った走行をする場合に変更するカメラ角度の範囲、または通常走行用記憶部に格納された障害物付近を走行していない場合に変更するカメラ角度の範囲、および定期的にカメラ角度を変更するかどうかを任意に設定・変更可能とする機能を備えた請求項１〜７のいずれか１項に記載の自走式監視装置。
【請求項９】
請求項１〜８のいずれか１項に記載の自走式監視装置の少なくとも一部をコンピュータに実行させるためのプログラム。
【発明の詳細な説明】
【技術分野】
【０００１】
本発明は、監視機能を有する自走式監視装置およびそのプログラムに関するものである。
【背景技術】
【０００２】
従来、監視装置としては、確実に異常を検知するために、多数の監視カメラを設置したり、侵入者を検知する人感センサや火災を検知する熱センサなどを併用したりすることにより異常状態を撮影する手段を有するもの（例えば、特許文献１参照）、または死角を極力少なくするために自走式監視装置の機器本体を遠隔操作により任意の地点へ移動させ撮影する手段などが搭載されているもの（例えば、特許文献２参照）などが知られている。
【特許文献１】特開２００４−０８００９０号公報
【特許文献２】特開２００４−１６４３０３号公報
【発明の開示】
【発明が解決しようとする課題】
【０００３】
しかしながら、前記従来の構成では、多数のカメラやセンサを設置する必要があるためにコストを要したり、異常が発生しても異常状態を的確に撮影するまでに時間を要したりする、といった課題を有していた。特に、自走式監視装置においては、異常発生時に、カメラが適切な方向を向いているとは限らず、異常状態を撮影するまでに多くの時間を要するといった課題を有していた。
【０００４】
本発明は、前記従来の課題を解決するもので、多数のカメラを要することなく、必要な監視領域を撮影することを可能とし、異常が発生した場合に早期に異常状態を検知・確認することが可能となる自走式監視装置およびそのプログラムを提供することを目的とする。
【課題を解決するための手段】
【０００５】
前記従来の課題を解決するために、本発明の自走式監視装置は、障害物の壁面に沿った走行をしているかどうかを判定する壁面判定部が、障害物に沿った走行していると判断した場合、カメラの角度を制御するカメラ制御部が、壁面とは反対方向にカメラ角度を自動的に変更するようにしたものである。
【０００６】
これによって、自走式監視装置が障害物の壁面付近を走行している場合において、壁面の画像を撮影せず反対方向の監視領域のみを多数のカメラを要することなく撮影することが可能で、異常が発生した場合に早期に異常状態を検知・確認することが可能となる。
【発明の効果】
【０００７】
本発明の自走式監視装置およびそのプログラムは、多数のカメラを要することなく、必要な監視領域を撮影することを可能とし、異常が発生した場合に早期に異常状態を検知・確認することが可能となる。
【発明を実施するための最良の形態】
【０００８】
第１の発明は、走行手段と、カメラと、障害物との距離を検知する距離検知手段と、前記距離検知手段から取得した信号をもとに障害物の壁面に沿った走行をしているかどうかを判定する壁面判定部と、壁面とは反対方向にカメラを振るためのカメラ角度を算出するカメラ角度算出部と、前記カメラ角度算出部で算出されたカメラ角度に従い前記カメラの角度を制御するカメラ制御部とを備え、前記壁面判定部が、障害物に沿った走行していると判断した場合、カメラ制御部は、壁面とは反対方向にカメラ角度を自動的に変更する自走式監視装置とすることにより、自走式監視装置が障害物の壁面付近を走行している場合において、壁面の画像を撮影せず反対方向の監視領域のみを多数のカメラを要することなく撮影することが可能で、異常が発生した場合に早期に異常状態を検知・確認することが可能となる。
【０００９】
第２の発明は、走行手段と、カメラと、障害物との距離を検知する距離検知手段と、障害物に沿った走行を行なうのか、任意のパターンで走行を行なうのかを選択する走行パターン選択手段と、障害物とは反対方向にカメラを振るためのカメラ角度を算出するカメラ角度算出部と、前記カメラ角度算出部で算出されたカメラ角度に従い前記カメラの角度を制御するカメラ制御部とを備え、前記走行パターン選択手段を介して、障害物に沿った走行を行なう選択をした場合、障害物とは反対方向にカメラ角度を自動的に変更する自走式監視装置とすることにより、走行パターン選択手段の選択によっては、第１の発明と同様、異常が発生した場合に早期に異常状態を検知・確認することが可能となる。
【００１０】
第３の発明は、特に、第１または第２の発明において、走行距離を検出する走行距離検出手段と、走行方向を検出する走行方向検出手段と、前記走行距離検出手段と走行方向検出手段で得られた情報を元に現在の走行位置を検出する位置検出部と、カメラ角度を変更する位置情報とカメラ角度情報とを記憶するカメラ角度記憶部とを備え、予め設定されたカメラ角度を変更する地点を走行した場合、前記カメラ角度記憶部に記憶されたカメラ角度情報に従い自動的にカメラ角度を変更することにより、異常が発生した場合に早期に異常状態を検知・確認することが可能となる。
【００１１】
第４の発明は、特に、第１〜第４のいずれか１つの発明において、制御部は、障害物に沿った走行を行なっている場合に変更するカメラ角度の範囲を記憶する壁面走行用記憶部と、障害物付近を走行していない場合に変更するカメラ角度の範囲を記憶する通常走行用記憶部とを備え、障害物に沿った走行を行なっている場合、前記壁面走行用記憶部に設定されたカメラ角度の範囲内で変更し、障害物付近を走行していない場合、前記通常走行用記憶部に設定されたカメラ角度の範囲内で変更する機能を備えたことにより、適切なカメラ角度で異常が発生した場合に早期に異常状態を検知・確認することが可能となる。
【００１２】
第５の発明は、特に、第４の発明において、壁面走行用記憶部と通常走行用記憶部において、設定されたカメラ角度範囲内で、定期的にカメラ角度を変更する機能を備えたことにより、確実に異常状態を検知・確認することが可能となる。
【００１３】
第６の発明は、特に、第１〜第５のいずれか１つの発明において、外部通信手段を備え、この外部通信手段を介して遠隔操作が行なわれた場合、現在のカメラ角度が正面になるよう走行方向を変更後、遠隔操作された方向に走行することにより、異常状態を検知・確認することが可能となる。
【００１４】
第７の発明は、特に、第１〜第６のいずれか１つの発明において、外部設定手段と、障害物の壁面に沿った走行をしていると判定する距離情報を記憶する壁面距離記憶部とを備え、外部設定手段を介して壁面距離記憶部に記憶されている障害物に沿った走行をしていると判定する距離情報を任意に設定・変更可能とする機能を備えたことにより、外部設定手段で適切な障害物との距離確保が可能となる。
【００１５】
第８の発明は、特に、第１〜第７のいずれか１つの発明において、外部設定手段を備え、この外部設定手段を介して、カメラ角度記憶部に格納されたカメラ角度を変更する位置情報とそのカメラ角度情報、壁面走行用記憶部に格納された障害物に沿った走行をする場合に変更するカメラ角度の範囲、または通常走行用記憶部に格納された障害物付近を走行していない場合に変更するカメラ角度の範囲、および定期的にカメラ角度を変更するかどうかを任意に設定・変更可能とする機能を備えたことにより、外部設定手段で適切に異常状態を検知・確認することが可能なように設定・変更できる。
【００１６】
第９の発明は、特に、第１〜第８のいずれか１つの発明における自走式監視装置の少なくとも一部をコンピュータに実行させるためのプログラムとすることにより、プログラムであるので、電気・情報機器、コンピュータ、サーバーなどのハードリソースを協働させて本発明の情報報知機器の少なくとも一部を容易に実現することができる。また、記録媒体に記録したり通信回線を用いてプログラムを配信したりすることで、プログラムの配布・更新やそのインストール作業が簡単にできる。
【００１７】
以下、本発明の実施の形態について、図面を参照しながら説明する。なお、この実施の形態によって本発明が限定されるものではない。
【００１８】
（実施の形態１）
図１、図２は、本発明の実施の形態１における自走式監視装置およびそのプログラムを示したものである。
【００１９】
図１に示すように、本実施の形態における自走式監視装置は、機器本体１に、監視対象の撮影を行なうカメラ２と、車輪とともに走行手段を構成する駆動モータ４と、障害物との距離を検知する距離検知手段としての超音波センサ６、測距センサ７などの障害物検知センサが接続されている。
【００２０】
そして、機器本体１には、超音波センサ６、測距センサ７などから障害物検知信号を受信し、受信した障害物検知信号をもとに障害物を検出する障害検知部８と、機器本体１の走行を制御する制御部１０と、制御部１０からの走行指示をもとに駆動モータ４を制御する走行制御部５と、カメラ２の角度を自動制御するカメラ制御部１２とを備えている。
【００２１】
前記障害検知部８は、機器本体１が障害物の壁面に沿った走行をしているかどうかを判定する壁面判定部９を有し、制御部１０は、壁面判定部９において機器本体１が障害物の壁面に沿った走行をしていると判定された場合、壁面とは反対方向にカメラ２を自動的に変更するためのカメラ角度を算出するカメラ角度算出部１３を有している。カメラ制御部１２は、カメラ角度算出部１３で算出されたカメラ角度に従いカメラ２の角度を自動制御する。
【００２２】
ここで、カメラ角度算出部１３には予め変更するカメラ角度情報が設定されているものとする。また、壁面判定部９には、機器本体１が障害物に沿った走行をしている障害物の壁面からの距離情報が予め設定されているものとする。
【００２３】
以上のように構成された自走式監視装置について、以下その動作・作用を図２のフローチャートを使用して説明する。
【００２４】
まず、自走式監視装置が自動走行中に、超音波センサ６と測距センサ７は機器本体１と障害物の壁面との距離を算出する（ステップ１）。壁面判定部９において、算出された機器本体１と障害物の壁面との距離が予め設定された距離情報以下であった場合（ステップ２）、機器本体１が障害物に沿った走行をしていると判定する（ステップ３）。制御部１０のカメラ角度算出部１３は、機器本体１が障害物に沿った走行をしている場合、カメラ制御部１２へ予め設定されているカメラ角度の変更角度情報を通知する（ステップ４）。ここで、機器本体１の右側に障害物の壁面がある場合、右壁面とは反対方向にカメラ角度を自動的に変更し、左側に障害物壁面がある場合、左壁面とは反対方向にカメラ角度を自動的に変更する。さらに、前方に障害物の壁面があると判定した場合は、前方の壁面が写らないように左右の壁面からの距離に応じてカメラ角度を変更する（つまり、右壁面に近い場合は右壁面とは反対方向にカメラ角度を変更し、左壁面に近い場合、左壁面とは反対方向にカメラ角度を変更する）。カメラ制御部１２は、前記カメラ角度算出部１３で算出されたカメラ角度情報に従い、カメラ２の角度を変更する（ステップ５）。
【００２５】
以上のように、本実施の形態においては、機器本体１が障害物の壁面に沿った走行をしている場合、壁面とは反対方向に自動的にカメラ角度を変更させることにより、少ないカメラで監視領域を常に撮影することが可能となり、居住者、もしくは管理者は異常状態を早期に検知・確認することが可能となる。
【００２６】
（実施の形態２）
図３、図４は、本発明の実施の形態２における自走式監視装置およびそのプログラムを示したものである。実施の形態１と同一要素については同一符号を付してその説明を省略する。
【００２７】
図３に示すように、本実施の形態における自走式監視装置は、機器本体１が障害物に沿った走行を行なうのか、任意のパターンで走行を行なうのかを選択する走行パターン選択手段１１を備えたものである。そして、この走行パターン選択手段１１を介して、障害物に沿った走行を行なう選択をした場合、障害物とは反対方向にカメラ角度を自動的に変更するようにしている。
【００２８】
以上のように構成された自走式監視装置について、以下その動作・作用を図４のフローチャートを使用して説明する。
【００２９】
まず、自走式監視装置が自動走行中に、超音波センサ６と測距センサ７は機器本体１と障害物の壁面との距離を算出する（ステップ１）。障害検知部８において、算出された機器本体１と障害物の壁面との距離が予め設定された距離情報以下であり（ステップ２）、走行パターン選択手段１１によって障害物の壁面に沿った走行を行なうと選択されていた場合（ステップ３）、制御部１０のカメラ角度算出部１３は、カメラ制御部１２へ予め設定されているカメラ角度の変更角度情報を通知する（ステップ４）。ここで、機器本体１の右側に障害物の壁面がある場合、右壁面とは反対方向にカメラ角度を変更し、左側に障害物の壁面がある場合、左壁面とは反対方向にカメラ角度を変更する。さらに、前方に障害物の壁面があると判定した場合は、前方の壁面が写らないように左右の壁面からの距離に応じてカメラ角度を変更する（つまり、右壁面に近い場合は右壁面とは反対方向にカメラ角度を変更し、左壁面に近い場合、左壁面とは反対方向にカメラ角度を変更する）。カメラ制御部１２は、前記カメラ角度算出部１３で算出されたカメラ角度情報に従い、カメラ２の角度を変更する（ステップ５）。
【００３０】
以上のように、本実施の形態においては、走行パターン選択手段１１によって選択され機器本体１が障害物に沿った走行をしている場合、壁面とは反対方向に自動的にカメラ角度を変更させることにより、少ないカメラで監視領域を常に撮影することが可能となり、居住者、もしくは管理者は異常状態を早期に検知・確認することが可能となる。
【００３１】
（実施の形態３）
図５、図６は、本発明の実施の形態３における自走式監視装置およびそのプログラムを示したものである。実施の形態１と同一要素については同一符号を付してその説明を省略する。
【００３２】
図５に示すように、本実施の形態における自走式監視装置は、機器本体１の走行距離を検出する走行距離検出手段として走行センサ１４と、機器本体１の走行方向を検出する走行方向検出手段としてジャイロセンサ１９と、前記走行センサ１４と前記ジャイロセンサ１９で得られた情報をもとに現在の機器本体１の走行位置を検出する位置検出部１５と、カメラ２を制御するために必要な情報を記憶する記憶部１６と、前記記憶部１６において、変更するカメラ角度を変更する位置情報と変更するカメラ角度情報とを記憶するカメラ角度記憶部１７とを備えた構成とする。位置検出部１５、記憶部１６、カメラ角度記憶部１７は、制御部１０に配置されている。ここで、前記カメラ角度記憶部１７においては、予めカメラ角度を変更する位置情報と変更するカメラ角度情報が設定されているものとする。
【００３３】
そして、予め設定されたカメラ角度を変更する地点を走行した場合、カメラ角度記憶部１７に記憶されたカメラ角度情報に従い自動的にカメラ角度を変更する。
【００３４】
以上のように構成された自走式監視装置について、以下その動作・作用を図６のフローチャートを使用して説明する。
【００３５】
まず、自走式監視装置が自動走行中に、走行センサ１４は機器本体１が走行した距離を測定する（ステップ１）。ジャイロセンサ１９は機器本体１の走行方向を測定する（ステップ２）。位置検出部１５は、前記走行センサ１４において測定された機器本体１の移動情報と、前記ジャイロセンサ１９において測定された機器本体１の走行方向をもとに、現在の機器本体１の走行位置を算出する（ステップ３）。制御部１０は前記位置検出部１５で検出された位置情報と、カメラ角度記憶部１７に格納されているカメラ角度を変更する位置情報とを比較し、カメラ角度を変更する地点を走行していると判断した場合（ステップ４）、カメラ角度算出部１３は前記カメラ角度記憶部１７に記憶された変更するカメラ角度情報を取得し（ステップ５）、カメラ制御部１２へ変更するカメラ角度情報を通知する（ステップ６）。前記カメラ制御部１２は、前記カメラ角度算出部１３から通知されたカメラ角度情報に従い、カメラ２の角度を変更する（ステップ７）。
【００３６】
以上のように、本実施の形態においては、機器本体１が壁面付近を走行している場合、予め設定された地点において、自動的に予め設定されたカメラ角度に変更させることにより、監視領域を常に撮影するだけでなく、壁面上に存在する窓や扉の施錠や、窓からの不審者の侵入に関しても撮影することが可能となる。なお、走行パターン選択手段１１は、通信によって選択できるようにしてもよいものである。
【００３７】
（実施の形態４）
図７は、本発明の実施の形態４における自走式監視装置を示したものである。実施の形態３と同一要素については同一符号を付してその説明を省略する。
【００３８】
図に示すように、本実施の形態における自走式監視装置は、図５におけるカメラ角度記憶部１７において、障害物に沿った走行を行なっている場合に変更するカメラ角度の範囲を記憶する壁面走行用記憶部２０と、障害物付近を走行していない場合に変更するカメラ角度の範囲を記憶する通常走行用記憶部２１を備えた構成である。ここで、前記壁面走行用記憶部２０と前記通常走行用記憶部２１においては、予め変更するカメラ角度情報が設定されているものとする。
【００３９】
そして、障害物に沿った走行を行なっている場合、前記壁面走行用記憶部２０に設定されたカメラ角度の範囲内で変更し、障害物付近を走行していない場合、前記通常走行用記憶部２１に設定されたカメラ角度の範囲内で変更するようになっている。
【００４０】
これによって、機器本体１は、壁面判定部９を介して障害物に沿った走行を行なっていると判断した場合は、前記カメラ角度算出部１３は前記壁面走行用記憶部２０から変更するカメラ角度の範囲を取得し、障害物付近を走行していないと判定した場合は、前記カメラ角度算出部１３は前記通常走行用記憶部２１から変更するカメラ角度の範囲を取得し、それぞれカメラ制御部１２へ変更するカメラ角度情報を通知し、前記カメラ制御部１２において前記カメラ角度算出部１３から取得したカメラ角度の範囲をもとに現在のカメラ角度を変更することが可能となる。
【００４１】
また、本実施の形態においては、前記壁面走行用記憶部２０と前記通常走行用記憶部２１から取得したカメラ角度範囲内で、定期的にカメラ角度を変更してもよいものとする。
【００４２】
（実施の形態５）
次に、本発明の実施の形態５における自走式監視装置およびそのプログラムについて、図５、図８に基づいて説明する。
【００４３】
図５に示すように、本実施の形態における自走式監視装置は、ユーザーからの遠隔操作により機器本体１を遠隔操作により任意の方向に走行させる外部通信手段１８を備えた構成とする。この外部通信手段１８を介して遠隔操作が行なわれた場合、現在のカメラ角度が正面になるよう走行方向を変更後、遠隔操作された方向に走行するものである。
【００４４】
以上のように構成された自走式監視装置について、以下その動作・作用を図８のフローチャートを使用して説明する。
【００４５】
まず、自走式監視装置が自動走行中に、壁面判定部９において、機器本体１が障害物に沿った走行を行なっていると判定する（ステップ１）。制御部１０のカメラ角度算出部１３は、カメラ制御部１２へ予め設定されているカメラ角度の変更角度情報を通知する（ステップ２）。ここで、機器本体１の右側に障害物壁面がある場合、右壁面とは反対方向にカメラ角度を変更し、左側に障害物壁面がある場合、左壁面とは反対方向にカメラ角度を変更する。さらに、前方に障害物の壁面があると判定した場合は、前方の壁面が写らないように左右の壁面からの距離に応じてカメラ角度を変更する（つまり、右壁面に近い場合は右壁面とは反対方向にカメラ角度を変更し、左壁面に近い場合、左壁面とは反対方向にカメラ角度を変更する）。カメラ制御部１２は、前記カメラ角度算出部１３から通知された変更するカメラ角度情報に従い、カメラ２の角度を変更する（ステップ３）。ここで、ユーザーから外部通信手段１８を介して機器本体１の遠隔操作による走行方向の変更が行なわれると（ステップ４）、制御部１０は前記カメラ角度算出部１３からカメラ２の変更角度情報と、ジャイロセンサ１９から得られる角度情報を取得し、前記カメラ２の方向が機器本体１の正面となるよう現在の機器本体１の走行方向を変更する指示を走行制御部５へ通知し（ステップ５）、機器本体１の走行方向の変更が完了後、居住者もしくは管理者から外部通信手段１８を介して取得した走行方向へ移動するよう走行制御部５へ通知する（ステップ６）。
【００４６】
以上のように、本実施の形態においては、機器本体１が障害物に沿った走行を行なっている場合、もしくは定期的にカメラ方向を変更して走行している場合においても、機器本体１を、外部通信手段１８を介して遠隔操作により任意の方向に走行させることが可能となる。
【００４７】
例えば、機器本体１が外部通信手段１８を介してネットワーク接続された構成であり、居住者もしくは管理者が遠隔地からモニターを介して前記カメラ２の画像を確認している場合、前記カメラ２が走行方向と異なる方向を向いていると、遠隔操作により任意の方向に走行させることは容易ではない。本実施の形態においては、カメラ方向が変更していることを意識することなく、機器本体１を遠隔操作により走行方向を変更することが可能となる。
【００４８】
（実施の形態６）
図９は、本発明の実施の形態６における自走式監視装置を示したものである。実施の形態１と同一要素については同一符号を付してその説明を省略する。
【００４９】
図に示すように、本実施の形態における自走式監視装置は、実施の形態１における壁面判定部９において、壁面付近を走行していると判定する距離情報を記憶する壁面距離記憶部２２を有するとともに、壁面距離記憶部２２に記憶されている障害物に沿った走行をしていると判定する距離情報を任意に設定・変更可能とする外部設定手段２３とを備えたものである。
【００５０】
これによって、ユーザーは、前記外部設定手段２３を介して、障害物に沿った走行をしていると判定する距離情報を任意に設定・変更可能となり、壁面付近まで走行させる必要がない場合においても効率よく監視を行なうことが可能となる。なお、外部設定手段２３は、通信による遠隔操作で実現させてもよいものとする。
【００５１】
（実施の形態７）
次に、本発明の実施の形態７における自走式監視装置について、図７、図９に基づいて説明する。
【００５２】
図７に示すように、本実施の形態における自走式監視装置は、カメラ角度記憶部１７、壁面走行用記憶部２０および通常走行用記憶部２１において、図９の外部設定手段２３を介して、前記カメラ角度記憶部１７に記憶されているカメラ角度を変更する位置情報とそのカメラ角度情報、前記壁面走行用記憶部２０に格納された障害物に沿った走行をする場合に変更するカメラ角度の範囲、または前記通常走行用記憶部２１に格納された障害物付近を走行していない場合に変更するカメラ角度の範囲、および定期的にカメラ角度を変更するかどうか、を任意に設定・変更可能とするものである。
【００５３】
これによって、ユーザーは、前記外部設定手段２３を介して、カメラ角度を変更する位置情報とそのカメラ角度情報、障害物に沿った走行をしている場合に変更するカメラ角度の範囲、障害物付近を走行していない場合に場合に変更するカメラ角度の範囲、および定期的にカメラ角度を変更するかどうか、を任意に設定・変更することが可能となり、居住者の環境に応じて最適な監視を行なうことが可能となる。なお、外部設定手段２３は、通信による遠隔操作で実現させてもよいものとする。
【００５４】
（実施の形態８）
次に、本発明の実施の形態８における自走式監視装置のプログラムについて説明する。
【００５５】
本実施の形態においては、各実施の形態における走行制御部５、障害検知部８、壁面判定部９、制御部１０、走行パターン選択手段１１、カメラ制御部１２、カメラ角度算出部１３、位置検出部１５、記憶部１６、カメラ角度記憶部１７、外部通信手段１８、壁面走行用記憶部２０、通常走行用記憶部２１、壁面距離記憶部２２、外部設定手段２３の少なくとも一部をコンピュータに実行させるためのプログラムとしたものである。
【００５６】
なお、実施の形態１〜３で説明した各部、各手段は、ＣＰＵ（またはマイコン）、ＲＡＭ、ＲＯＭ、記憶・記録装置、Ｉ／Ｏなどを備えた電気・情報機器、コンピュータ、サーバーなどのハードリソースを協働させる形態で実施してもよい。プログラムの形態であれば、磁気メディアや光メディアなどの記録媒体に記録したりインターネットなどの通信回路を用いて配信したりすることで新しい機能の配布・更新やそのインストール作業が簡単にできる。
【産業上の利用可能性】
【００５７】
以上のように、本発明にかかる自走式監視装置およびそのプログラムは、多数のカメラを要することなく、必要な監視領域を撮影することを可能とし、異常が発生した場合に早期に異常状態を検知・確認することが可能となるので、監視カメラなどの監視機能を有する自走式監視装置として最適である。
【図面の簡単な説明】
【００５８】
【図１】本発明の実施の形態１における自走式監視装置の構成を示すブロック図
【図２】同自走式監視装置の動作・作用を示すフローチャート
【図３】本発明の実施の形態２における自走式監視装置の構成を示すブロック図
【図４】同自走式監視装置の動作・作用を示すフローチャート
【図５】本発明の実施の形態３〜５における自走式監視装置の構成を示すブロック図
【図６】同実施の形態３における自走式監視装置の動作・作用を示すフローチャート
【図７】同実施の形態４、７におけるカメラ角度記憶部の構成を示すブロック図
【図８】同実施の形態５における自走式監視装置の動作・作用を示すフローチャート
【図９】本発明の実施の形態６における壁面判定部の構成を示すブロック図
【符号の説明】
【００５９】
１  機器本体
２  カメラ
４  駆動モータ（走行手段）
５  走行制御部
６  超音波センサ（距離検知手段）
７  測距センサ（距離検知手段）
８  障害検知部
９  壁面判定部
１０  制御部
１１  走行パターン選択手段
１２  カメラ制御部
１３  カメラ角度算出部
１４  走行センサ（走行距離検出手段）
１５  位置検出部
１６  記憶部
１７  カメラ角度記憶部
１８  外部通信手段
１９  ジャイロセンサ（走行方向検出手段）
２０  壁面走行用記憶部
２１  通常走行用記憶部
２２  壁面距離記憶部
２３  外部設定手段
【図１】
2006201991.tif 000003
【図２】
2006201991.tif 000004
【図３】
2006201991.tif 000005
【図４】
2006201991.tif 000006
【図５】
2006201991.tif 000007
【図６】
2006201991.tif 000008
【図７】
2006201991.tif 000009
【図８】
2006201991.tif 000010
【図９】
2006201991.tif 000011